(57)【要約】【課題】  モータのステータ部分を全周の一部に部分的に配置し、全周のうちの余った残りの部分にブレーキ部分を配置することにより薄型化を実現したエレベータ用巻上機を得る。【解決手段】  主索が巻き掛けられる駆動綱車１と、この駆動綱車の内周面の全周に亘って設けられ、多数の永久磁石２ａが配置されたロータ２と、ロータの内側の半周部分を占めるように配置され、ロータの内周面と所定の間隙を置いて互いに重合するように設けられたステータ３と、ロータの内側の残り半周部分を占めるように配置され、ロータの内周面と所定の間隙を置いて互いに重合するように設けられたブレーキ４とを備える。【選択図】    図１
2005335825.tif 000002
【特許請求の範囲】
【請求項１】
主索が巻き掛けられる駆動綱車と、
この駆動綱車の内周面の全周に亘って設けられ、多数の永久磁石が配置されたロータと、
前記ロータの内側の半周部分を占めるように配置され、前記ロータの内周面と所定の間隙を置いて互いに重合するように設けられたステータと、
前記ロータの内側の残り半周部分を占めるように配置され、前記ロータの内周面と所定の間隙を置いて互いに重合するように設けられたブレーキと、
を備えたことを特徴とするエレベータ用巻上機。
【請求項２】
主索が巻き掛けられる断面コ字状の駆動綱車と、
この駆動綱車の内周面の全周に亘って設けられ、多数の永久磁石が配置されたロータと、
前記ロータの内側の半周部分を占めるように配置され、前記ロータの内周面と所定の間隙を置いて互いに縦方向に重合するように設けられたステータと、
前記ロータの内側の残り半周部分を占めるように配置され、前記ロータの内周面と所定の間隙を置いて互いに縦方向に重合するように設けられたブレーキと、
を備えたことを特徴とするエレベータ用巻上機。
【請求項３】
ステータは、半周形状部分のみがロータの内側の半周部分に配置されており、一方、ブレーキは、半周形状部分のみがロータの内側の残りの半周部分に配置されていることを特徴とする請求項１又は請求項２記載のエレベータ用巻上機。
【請求項４】
ステータは、１／４周形状部分をロータの内側の半周部分を占めるように互いに対称的に配置されており、一方、ブレーキは、上記ステータ間にあって１／４周形状部分をロータの内側の残りの半周部分を占めるように互いに対称的に配置されていることを特徴とする請求項１又は請求項２記載のエレベータ用巻上機。
【請求項５】
ロータの内周面は、ロータ面及びブレーキ制動面として同一面で構成されていることを特徴とする請求項１〜請求項４のいずれかに記載のエレベータ用巻上機。
【請求項６】
ロータの内周面は、多数の永久磁石の間に樹脂を充填することにより、ロータ面とブレーキ制動面を同一としたことを特徴とする請求項５記載のエレベータ用巻上機。
【請求項７】
ロータの内周面は、多数の永久磁石の間に非磁性材を配置することにより、ロータ面とブレーキ制動面を同一としたことを特徴とする請求項５記載のエレベータ用巻上機。
【請求項８】
駆動綱車の開放面側に多数の永久磁石挿入穴を形成し、この永久磁石挿入穴に永久磁石を埋め込み固定することにより、ロータの内側面をそのままブレーキ制動面としたことを特徴とする請求項１〜請求項４のいずれかに記載のエレベータ用巻上機。
【発明の詳細な説明】
【技術分野】
【０００１】
この発明は、駆動綱車部分、モータ部分及びブレーキ部分の配置を工夫することにより薄型化を実現したエレベータ用巻上機に関するものである。
【背景技術】
【０００２】
従来のエレベータ用巻上機においては、構成上必要とされる駆動綱車部分、モータ部分及びブレーキ部分を配置する際、通常は各部位が全周に亘り存在するため、例えばモータ部分の内側にブレーキ部分を配置する等の工夫により薄型化を図っている（例えば、特許文献１参照）。
【０００３】
【特許文献１】特開２００２−２６５１７２号公報
【発明の開示】
【発明が解決しようとする課題】
【０００４】
従来のエレベータ用巻上機では、駆動綱車部分とモータ部分の厚みは必要であるため、それ以上薄型化することはその構造上では不可能であった。
【０００５】
この発明は、上述のような課題を解決するためになされたもので、モータのステータ部分を全周の一部に部分的に配置し、全周のうちの余った残りの部分にブレーキ部分を配置することにより薄型化を実現したエレベータ用巻上機を提供するものである。
【課題を解決するための手段】
【０００６】
この発明に係るエレベータ用巻上機においては、主索が巻き掛けられる駆動綱車と、この駆動綱車の内周面の全周に亘って設けられ、多数の永久磁石が配置されたロータと、ロータの内側の半周部分を占めるように配置され、ロータの内周面と所定の間隙を置いて互いに重合するように設けられたステータと、ロータの内側の残り半周部分を占めるように配置され、ロータの内周面と所定の間隙を置いて互いに重合するように設けられたブレーキとを備えたものである。
【０００７】
また、ステータは、半周形状部分のみがロータの内側の半周部分に配置されており、一方、ブレーキは、半周形状部分のみがロータの内側の残りの半周部分に配置されているものである。
【０００８】
また、ステータは、１／４周形状部分をロータの内側の半周部分を占めるように互いに対称的に配置されており、一方、ブレーキは、ステータ間にあって１／４周形状部分をロータの内側の残りの半周部分を占めるように互いに対称的に配置されているものである。
【発明の効果】
【０００９】
この発明によれば、主索が巻き掛けられる駆動綱車と、この駆動綱車の内周面の全周に亘って設けられ、多数の永久磁石が配置されたロータと、ロータの内側の半周部分を占めるように配置され、ロータの内周面と所定の間隙を置いて互いに重合するように設けられたステータと、ロータの内側の残り半周部分を占めるように配置され、ロータの内周面と所定の間隙を置いて互いに重合するように設けられたブレーキとを備えたので、駆動綱車の厚さのみ構成することができ、より一層の薄型化ができる効果がある。
【発明を実施するための最良の形態】
【００１０】
実施の形態１．
図１はこの発明を実施するための実施の形態１におけるエレベータ用巻上機の概略構造を示す縦断面図、図２は同じく正面図である。
図１において、この発明のエレベータ用巻上機は、最外周の全体に亘って設けられ、外周面に主索（図示せず）が巻き掛けられる綱溝１ａが設けられた断面コ字状の駆動綱車１と、この駆動綱車１の内周面の全周に亘って設けられ、多数の永久磁石２ａを充填樹脂２ｂにより被覆してなるロータ２と、このロータ２の内側の半周部分に亘って所定の間隙を置いて互いに縦方向に重合するように設けられ、半周部分を占めるように複数個に分割して配置されたステータ３と、ロータ２の内側の残り半周部分に亘って所定の間隙を置いて互いに縦方向に重合するように設けられ、残り約半周部分を占めるように２個に分割して配置されたブレーキ４とから構成されている。このブレーキ４は、ブレーキマグネット４ａ及びブレーキライニング４ｂとから構成されている。また、ロータ２の内周面は、充填樹脂２の表面により曲面仕上げとなっているので、ロータ面を構成するとともに、これと対向するブレーキライニング４ｂのブレーキ制動面を構成するものである。なお、図中、５は駆動綱車１及びロータ２の軸受ベアリングである。
【００１１】
従って、この発明の実施の形態１におけるエレベータ用巻上機は、駆動綱車１の厚さのみで巻上機を構成するために、駆動綱車１の内側に配置するステータ３を従来の半分の大きさに分割して半周部分に配置するとともに、このステータを分割して空いた残りの半周部分の空間にブレーキ４を配置したものである。これにより、ロータ面とブレーキの制動面を同一面とすることができ、巻上機を薄型化することができる。ここでステータは半分と述べたが、必ずしもその値に限るものではなく、それを上回るまたは下回っても良いものであり、その場合も同様の効果が得られるのは自明である。
【００１２】
実施の形態２．
図３はこの発明の実施の形態２におけるエレベータ用巻上機の概略構造を示す正面図である。
図３において、この発明のエレベータ用巻上機は、最外周の全体に亘って設けられ、外周面に主索（図示せず）が巻き掛けられる綱溝１ａが設けられた断面コ字状の駆動綱車１と、この駆動綱車１の内周面の全周に亘って設けられ、多数の永久磁石２ａを充填樹脂２ｂにより被覆してなるロータ２と、このロータ２の内側に１／４周（９０度）の範囲内で互いに対称的に設けられ、ロータ２の内側面と所定の間隙を置いて互いに縦方向に重合するように設けられた複数個に分割された一対のステータ３と、ロータ２の内側に１／４周（９０度）の範囲内で互いに対称的に設けられ、ロータ２の内側面と所定の間隙を置いて互いに縦方向に重合するように設けられた一対のブレーキ４とから構成されている。このブレーキ４は、ブレーキマグネット４ａ及びブレーキライニング４ｂとから構成されている。また、ロータ２の内周面は、充填樹脂２ｂの表面により曲面仕上げとなっているので、ロータ面を構成するとともに、これと対向するブレーキライニング４ｂのブレーキ制動面を構成するものである。また、一対のステータ３及び一対のブレーキ４は、互いに１／２周（１８０度）間隔で対称的に配置されているものである。なお、図中、５は駆動綱車１及びロータ２の軸受ベアリングである。
【００１３】
従って、この発明の実施の形態２におけるエレベータ用巻上機は、駆動綱車１の厚さのみで巻上機を構成するために、駆動綱車１の内側に配置するステータ３を従来の半分の大きさのものを更に２分割し、この２分割されたステータ３を互いに１／２周（１８０度）間隔で対称的に配置するとともに、同じく駆動綱車１の内側に配置するブレーキ４を従来の半分の大きさのものを更に２分割し、この２分割されたブレーキ４を互いに１／２周（１８０度）間隔で対称的に配置したものである。これにより、巻上機全体のバランスを考慮した配置とすることができる。ここでステータは１／４周と述べたが、必ずしもその値に限るものではなく、それを上回るまたは下回っても良いものであり、その場合にも同様の効果が得られるのは自明である。
【００１４】
実施の形態３．
図４はこの発明の実施の形態３におけるエレベータ用巻上機の概略構造を示す縦断面図、図５は同じく正面図、図６は要部構造を示す拡大斜視図である。
この発明の実施の形態３におけるエレベータ用巻上機は、断面コ字状の駆動綱車１の内周面の全周に亘って設けられるロータ２の内側面をそのままブレーキ４の制動面として利用できるようにするために、図６に示すように、駆動綱車１のコ字状開放面側に多数の永久磁石挿入穴１ｂを形成し、この永久磁石挿入穴１ｂ内に永久磁石２ａを埋め込み接着剤にて接着したものである。上記以外の構成は、実施の形態１と略同様である。
【００１５】
従って、この発明の実施の形態３におけるエレベータ用巻上機は、駆動綱車１の厚さのみで巻上機を構成するために、駆動綱車１の内側に配置するステータ３を従来の半分の大きさに分割して半周部分に配置するとともに、このステータを分割して空いた残りの半周部分の空間にブレーキ４を配置したものであって、更にロータ２の内側面をそのままブレーキ４の制動面として利用できるようにするために、駆動綱車１のコ字状開放面側に多数の永久磁石挿入穴１ｂを形成し、この永久磁石挿入穴１ｂ内に永久磁石２ａを埋め込み接着剤にて接着したものである。これにより、永久磁石相互間の隙間に樹脂等を充填することなく、ロータ面をブレーキの制動面にそのまま利用することができる。
【００１６】
実施の形態４．
上記実施の形態１、２では、多数の永久磁石２ａの間に樹脂２ｂを充填することにより、ロータ面とブレーキ制動面を同一としているが、図示しないが、多数の永久磁石２ａの間に非磁性材を配置することにより、ロータ面とブレーキ制動面を同一としてもよいものである。  
【図面の簡単な説明】
【００１７】
【図１】この発明の実施の形態１におけるエレベータ用巻上機の概略構造を示す縦断面図である。
【図２】この発明の実施の形態１におけるエレベータ用巻上機の概略構造を示す正面図である。
【図３】この発明の実施の形態２におけるエレベータ用巻上機の概略構造を示す正面図である。
【図４】この発明の実施の形態３におけるエレベータ用巻上機の概略構造を示す縦断面図である。
【図５】この発明の実施の形態３におけるエレベータ用巻上機の概略構造を示す正面図である。
【図６】この発明の実施の形態３におけるエレベータ用巻上機の要部構造を示す拡大斜視図である。
【符号の説明】
【００１８】
１  駆動綱車
１ａ  綱溝
１ｂ  永久磁石挿入穴
２  ロータ
２ａ  永久磁石
２ｂ  充填樹脂
３  ステータ
４  ブレーキ
４ａ  ブレーキマグネット
４ｂ  ブレーキライニング
５  軸受ベアリング
【図１】
2005335825.tif 000003
【図２】
2005335825.tif 000004
【図３】
2005335825.tif 000005
【図４】
2005335825.tif 000006
【図５】
2005335825.tif 000007
【図６】
2005335825.tif 000008